(57)【要約】      （修正有）【課題】トレーによってディスク状記録媒体を筐体内に押込んで記録または再生を行なうディスクプレーヤにおいて、トレー駆動のための電気的、電子的な手段を使用することなく、トレーの押込みおよび引出し動作を可能にする。【解決手段】シャーシ１１に対してトレーを移動自在に支持し、トレーが最奥部まで押込まれたときに、トレーに対してエジェクト方向の弾性復元力を発生する巻ばね４０と、押込み位置でロックするためのプッシュ・プッシュ式のロック機構５０と、押されて検出動作を行なう検出スイッチ６０とを設けるようにし、プッシュ・プッシュ式のロック機構５０によってロックされるとともに、巻ばね４０がエジェクトのためのエネルギをチャージする。トレーをさらに押込むことによって、プッシュ・プッシュ式のロック機構５０によるロックを解除し、巻ばね４０によってトレーを少なくとも、指で掴めるストロークだけ押出すようにする。【選択図】図２
2007128615.tif 000002
【特許請求の範囲】
【請求項１】
筐体に対して押込みおよび引出し自在にトレーが取付けられ、前記トレーを引出してディスク状記録媒体を該トレー上に載置し、前記トレーを前記筐体内に押込んで前記ディスク状記録媒体の記録または再生を行なうようにしたディスク式記録再生装置において、
前記トレーが完全に筐体内に押込まれたときに、前記トレーを引出す方向に付勢する付勢手段と、
前記トレーが完全に押込まれた状態で該トレーを前記付勢手段による付勢力に抗してロックするロック手段と、
前記トレーが完全に筐体内に押込まれ、かつ前記ロック手段によってロックされたときにそのことを検出する検出手段と、
を有し、前記検出手段が検出した後に記録および／または再生動作が行なわれ、
しかも前記ロック手段によるロックが解除されると、前記付勢手段によって前記トレーが引出し方向に少なくとも指で掴むことができるストローク押出されることを特徴とするディスク式記録再生装置。
【請求項２】
前記トレー上に、前記ディスク状記録媒体の半径方向に移動自在にピックアップ手段が設けられ、回転するディスク状記録媒体に対して半径方向に移動しながら前記ピックアップ手段がアクセスすると、信号の記録および／または再生が行なわれることを特徴とする請求項１に記載のディスク式記録再生装置。
【請求項３】
前記トレーが、案内手段によって前記筐体に対して押込みおよび引出し自在に取付けられることを特徴とする請求項１に記載のディスク式記録再生装置。
【請求項４】
前記付勢手段が、巻ばねから構成され、その一端が筐体と当接または係止され、他端がトレーの被当接部と当接されることを特徴とする請求項１に記載のディスク式記録再生装置。
【請求項５】
前記巻ばねが、前記筐体内であって前記トレーが押込まれる領域のほぼ最奥部の近傍に配され、前記巻ばねの前記他端を構成する自由端が前記トレーに設けられたピンから成る被当接部に当接することを特徴とする請求項１に記載のディスク式記録再生装置。
【請求項６】
前記ロック手段が、プッシュ・プッシュ式のロック機構であることを特徴とする請求項１に記載のディスク式記録再生装置。
【請求項７】
前記プッシュ・プッシュ式のロック機構が、前記トレーに設けられたロックピンと、該ロックピンを係止する異形のロック部材とから構成され、前記トレーが押込まれると前記ロックピンが前記ロック部材のロック用凹部に落込んでロックされ、
ロック状態でさらに前記トレーが押込み方向に押込まれると、前記ロックピンが前記ロック用凹部から離脱してロックが解除されることを特徴とする請求項６に記載のディスク式記録再生装置。
【請求項８】
前記ロックピンが弾性変形可能なアームを介して前記トレーに設けられ、しかも前記ロック部材のロック用凹部の出口部分に臨んで案内用傾斜面が形成され、ロック状態でさらに前記トレーが押込み方向に押込まれると、前記案内用傾斜面によって前記アームが弾性変形して前記ロックピンが前記ロック用凹部に対して側方に偏倚しながら離脱することを特徴とする請求項７に記載のディスク式記録再生装置。
【請求項９】
前記検出手段が、前記トレーの一部によって押されるスイッチであることを特徴とする請求項１に記載のディスク式記録再生装置。
【請求項１０】
前記スイッチが、前記筐体内であって前記トレーが押込まれる領域のほぼ最奥部の近傍に配され、前記トレーの押込み方向の先端部で押されることを特徴とする請求項９に記載のディスク式記録再生装置。
【請求項１１】
前記トレーの押込みおよび／または引出し動作を緩衝する緩衝手段が設けられることを特徴とする請求項１に記載のディスク式記録再生装置。
【請求項１２】
前記緩衝手段が、前記トレーに設けられているラックと、該ラックと噛合うピニオンと、該ピニオンで駆動される制動輪を有し、前記制動輪が回動すると摩擦を生じて緩衝動作が行なわれることを特徴とする請求項１１に記載のディスク式記録再生装置。
【発明の詳細な説明】
【技術分野】
【０００１】
本発明はディスク式記録再生装置に係り、とくに筐体に対して押込みおよび引出し自在にトレーが取付けられ、このトレーによってディスク状記録媒体を筐体内に押込んでディスク状記録媒体の記録または再生を行なうディスク式記録再生装置に関する。
【背景技術】
【０００２】
ＣＤ（コンパクトディスク）等のディスク状記録媒体に対して、光ピックアップによって信号を書込んだりあるいはまた書込まれた信号を読出すようにしたディスクプレーヤが広く用いられている。
【０００３】
例えば特開平７−１８２７５９号公報には、ディスクカートリッジを前後方向に移動可能に保持するカートリッジホルダと、このカートリッジホルダに対して前後方向に移動操作可能であって、ディスクカートリッジに係合するカートリッジ移動板とを有し、カートリッジホルダが前後方向に移動操作されないようにして装置構成を小型化し、また、イジェクト操作時には、ディスクカートリッジをカートリッジ移動板により保持したままの状態で充分に外方側に排出することができるようにしたディスクローディング装置が開示されている。
【０００４】
このようなカートリッジタイプの記録媒体ではなく、ベアディスクを用いるディスクプレーヤの場合には、例えば特開２００４−１７８７１１号公報に開示されているように、筐体に対して移動可能にトレーが設けられ、このトレーの凹部に光ディスクを載置し、この状態でトレーを筐体内に押込むことによって、トレーが筐体内に引込まれ、ディスク状記録媒体が動作可能な位置に移動する。そしてこの位置において、光ピックアップがディスクに対してアクセスし、これによって記録再生の動作を行なう。
【０００５】
従来のこの種のトレー式のディスク搬送機構を設けたディスクプレーヤの場合には、モータによってディスクを引込んだりあるいは押出すようにしている。このようなモータによる駆動方式を採用すると、モータの他に、モータドライバ、制御用マイコンを含むコントロールユニット等を必要とし、これによってコストが増大する。なおパソコンに組込まれて用いられるＣＤドライブは、通常押しこみ動作を手動によって行なうようにしているものの、プランジャによってエジェクト動作を行ない、トレーを解放するようにしている。従ってこの場合には、モータおよびその駆動系を必要としないものの、プランジャおよびプランジャの駆動回路、およびその制御ユニットを必要とし、これによってコストが増大する。
【特許文献１】特開平７−１８２７５９号公報
【特許文献２】特開２００４−１７８７１１号公報
【発明の開示】
【発明が解決しようとする課題】
【０００６】
本願発明の課題は、ディスク状記録媒体を載置して記録および／または再生位置へ移動するトレーを駆動するためのモータや、モータドライバ、マイコンを含む制御ユニット等を全く必要としないようにしたディスク式記録再生装置を提供することである。
【０００７】
本願発明の別の課題は、ディスク状記録媒体を載置して筐体内に引込まれたトレーのエジェクトのためにプランジャを用いないようにし、これによって構造を大幅に簡潔化したディスク式記録再生装置を提供することである。
【０００８】
本願発明のさらに別の課題は、ディスク状記録媒体を筐体内に引込むためのトレーの駆動機構を大幅に簡略化し、これによってコストダウンを可能にしたディスク式記録再生装置を提供することである。
【０００９】
本願発明のさらに別の課題は、操作性を損なうことなく、しかも簡潔な構造のトレーの駆動機構を有するディスク式記録再生装置を提供することである。
【００１０】
本願発明のさらに別の課題は、ディスク状記録媒体を載置したトレーの押込みおよび引出し動作を、手動によって行なうようにしたディスク式記録再生装置を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、筐体に対して押込みおよび引出し自在にトレーが取付けられ、前記トレーを引出してディスク状記録媒体を該トレー上に載置し、前記トレーを前記筐体内に押込んで前記ディスク状記録媒体の記録または再生を行なうようにしたディスク式記録再生装置において、
前記トレーが完全に筐体内に押込まれたときに、前記トレーを引出す方向に付勢する付勢手段と、
前記トレーが完全に押込まれた状態で該トレーを前記付勢手段による付勢力に抗してロックするロック手段と、
前記トレーが完全に筐体内に押込まれ、かつ前記ロック手段によってロックされたときにそのことを検出する検出手段と、
を有し、前記検出手段が検出した後に記録および／または再生動作が行なわれ、
しかも前記ロック手段によるロックが解除されると、前記付勢手段によって前記トレーが引出し方向に少なくとも指で掴むことができるストローク押出されることを特徴とするディスク式記録再生装置に関するものである。
【００１３】
ここで、前記トレー上に、前記ディスク状記録媒体の半径方向に移動自在にピックアップ手段が設けられ、回転するディスク状記録媒体に対して半径方向に移動しながら前記ピックアップ手段がアクセスすると、信号の記録および／または再生が行なわれてよい。また前記トレーが、案内手段によって前記筐体に対して押込みおよび引出し自在に取付けられてよい。また前記付勢手段が、巻ばねから構成され、その一端が筐体と当接または係止され、他端がトレーの被当接部と当接されてよい。また前記巻ばねが、前記筐体内であって前記トレーが押込まれる領域のほぼ最奥部の近傍に配され、前記巻ばねの前記他端を構成する自由端が前記トレーに設けられたピンから成る被当接部に当接するようにしてよい。
【００１４】
また、前記ロック手段が、プッシュ・プッシュ式のロック機構であってよい。また前記プッシュ・プッシュ式のロック機構が、前記トレーに設けられたロックピンと、該ロックピンを係止する異形のロック部材とから構成され、前記トレーが押込まれると前記ロックピンが前記ロック部材のロック用凹部に落込んでロックされ、ロック状態でさらに前記トレーが押込み方向に押込まれると、前記ロックピンが前記ロック用凹部から離脱してロックが解除されてよい。また前記ロックピンが弾性変形可能なアームを介して前記トレーに設けられ、しかも前記ロック部材のロック用凹部の出口部分に臨んで案内用傾斜面が形成され、ロック状態でさらに前記トレーが押込み方向に押込まれると、前記案内用傾斜面によって前記アームが弾性変形して前記ロックピンが前記ロック用凹部に対して側方に偏倚しながら離脱するようにしてよい。
【００１５】
また、前記検出手段が、前記トレーの一部によって押されるスイッチであってよい。また前記スイッチが、前記筐体内であって前記トレーが押込まれる領域のほぼ最奥部の近傍に配され、前記トレーの押込み方向の先端部で押されてよい。
【００１６】
また、前記トレーの押込みおよび／または引出し動作を緩衝する緩衝手段が設けられてよい。また前記緩衝手段が、前記トレーに設けられているラックと、該ラックと噛合うピニオンと、該ピニオンで駆動される制動輪を有し、前記制動輪が回動すると摩擦を生じて緩衝動作が行なわれてよい。
【００１７】
本願発明の好ましい態様は、ディスク状記録媒体を載置して筐体内の記録再生位置へ移動するトレーを巻ばねによってエジェクト方向に付勢するとともに、プッシュ・プッシュ式のロック機構によって押込まれた状態でロックするようにし、完全に押込まれて動作位置にあるトレーに対してさらに押込むことによって、このトレーが上記巻ばねの弾性復元力によって押出されて少しだけエジェクトされるようにし、この後トレーを指で掴んで完全に引出すようにしたものである。
【００１８】
このような構成によると、トレーを押出し方向および引出し方向に移動させるモータ、モータドライバ、マイコンを含む制御ユニット、エジェクト用プランジャ等を必要とせず、トレーの駆動機構をメカニカルな構成のみによって達成することが可能になる。従ってトレーの駆動機構の構造が簡潔化されるとともに、トレーの駆動部の大幅なコストダウンが可能になる。
【発明の効果】
【００１９】
本願の主要な発明は、筐体に対して押込みおよび引出し自在にトレーが取付けられ、トレーを引出してディスク状記録媒体を該トレー上に載置し、トレーを筐体内に押込んでディスク状記録媒体の記録または再生を行なうようにしたディスク式記録再生装置において、トレーが完全に筐体内に押込まれたときに、トレーを引出す方向に付勢する付勢手段と、トレーが完全に押込まれた状態で該トレーを付勢手段による付勢力に抗してロックするロック手段と、トレーが完全に筐体内に押込まれ、かつロック手段によってロックされたときにそのことを検出する検出手段と、を有し、検出手段が検出した後に記録および／または再生動作が行なわれ、しかもロック手段によるロックが解除されると、付勢手段によってトレーが引出し方向に少なくとも指で掴むことができるストローク押出されるようにしたものである。
【００２０】
従ってこのようなディスク式記録再生装置によると、手動でトレーを筐体内に押込むと、付勢手段がチャージされるとともに、トレーが完全に押込まれた状態でロック手段によってロックされるようになり、この状態で記録および／再生動作が行なわれる。しかもロックされたトレーをさらに押込むと、上記ロック手段によるロックが解除され、付勢手段の付勢力でトレーが引出し方向に少なくとも指で摘むことができるストロークだけ押出される。従ってこの状態でトレーを指で引っ張って引出すことが可能になる。これによってモータやプランジャ、あるいはそのドライバ、あるいは制御用マイコンを含む制御ユニットを全く必要としないトレーの駆動機構を有するディスク式記録再生装置を提供することが可能になる。
【発明を実施するための最良の形態】
【００２１】
以下本願発明を図示の実施の形態によって説明する。図１および図２は、本実施の形態に係るディスクプレーヤのほぼ全体の構成を示すものであって、このディスクプレーヤは直方体状をなす外筐１０を備え、この外筐１０内にシャーシ１１が固定して配されている。そしてシャーシ１１に対して移動および引出し自在にトレー１２が設けられている。すなわち外筐１０の前面側開口１４に対して移動可能にトレー１２が組込まれている。
【００２２】
トレー１２は、シャーシ１１の両側に設けられている側壁１３上の案内手段によって案内されるようになっている。案内手段の構成について説明すると、左右の側壁１３の奥側の部分には、トレー１２の移動方向に比較的長い案内部材１５が設けられ、これらの案内部材１５の上面に設けられている突条１６がトレー１２の下面の溝に係合されるようになっている。また左側の側壁１３の内側には、トレー１２の移動方向に対して比較的短い案内部材１７が設けられ、その上面に突条１８が形成され、突条１８がトレー１２の溝に嵌まり込んでいる。また右側の側壁１３の内側には、トレー１２の移動方向に対して短い案内部材１９が設けられ、この案内部材１９の上面の突部２０がトレー１２の下側の溝の部分に係合されるようになっている。
【００２３】
次に上記トレー１２を押さえる構造について説明する。左側の側壁１３の内側面には押さえ２３が設けられ、これに対して右側の側壁１３の内側には一対の押さえ２４、２５が設けられている。これらの押さえ２４、２５によって、上述の案内部材１５、１７、１９による案内面から上方にトレー１２が浮上がるのを防止している。また左右の側壁１３の内側にはそれぞれストッパ２６が設けられている。ストッパ２６は弾性変形可能であって、トレー１２の奥側であってその左右の部分に設けられている爪２７が乗越えられるようになっている。しかもトレー１２が引出し方向に移動されると、上記ストッパ２６に当接し、これによって最大の引出し位置を規制している。
【００２４】
このように外筐１０およびシャーシ１１に対して移動可能に取付けられているトレー１２上の構造について説明する。トレー１２には、円形の凹部２９が形成され、この凹部２９によってベアディスクから成るＣＤ（コンパクトディスク）を受入れて保持するようにしている。また上記円形の凹部２９を横切るように、異形の開口３０が形成され、この開口３０の部分にピックアップユニット３１が取付けられている。ピックアップユニット３１は、上記円形の凹部２９の中心と一致するように、スピンドルモータ３２を備え、このスピンドルモータ３２の出力軸にはターンテーブル３３が直結されている。またピックアップユニット３１は円形の凹部２９の半径方向に移動する長孔３４を備え、この長孔３４によって光ピックアップ３５を移動可能に支持している。すなわち光ピックアップ３５は、長孔３４の両側のガイドロッド３６によって、ターンテーブル３３上に載置されるコンパクトディスクの半径方向に移動可能に案内されている。しかも光ピックアップ３５は、ピックアップユニット３１の下部に設けられているモータ３７によって、図示を省略した送りねじを介してコンパクトディスクの半径方向に移動されるようになっている。
【００２５】
次にトレー１２をエジェクトするための付勢手段について説明する。シャーシ１１上には巻ばね４０が取付けられており、取付けねじ４１によって保持されている。巻ばね４０の一端側の部分は、シャーシ１１の当接突部４２に押されるようになっており、これに対して巻ばね４０の反対側の自由端の部分はトレー１２の下面に突設されたピン４３に当接されるようになっている。
【００２６】
次にトレー１２を押込んだときにロックする機構について説明する。トレー１２は合成樹脂の成形体から成り、その奥側の部分に矩形の開口４７が形成されるとともに、この開口４７内に突出するように、弾性アーム４８が一体に連設されている。弾性アーム４８の先端側の部分には下方に突出してロックピン４９が連設されている。このロックピン４９は、ロック部材５０のロック用凹部５１に係合する。すなわちトレー１２が押込まれた状態で、上記ロック用凹部５１にロックピン４９が係合されて該トレーがロックされるようになっている。
【００２７】
ロックピン４９をロックするロック部材５０に構造についてより詳細に説明すると、とくに図３〜図６に示すように、ロック部材５０はその入口側の部分に傾斜面５４を備え、しかもこの傾斜面５４の終端側が水平な段部５５になっている。そしてロック部材５０は、上記段部５５の終端部において３角形の突部５６を備えている。上記３角形の突部５６の一側部が案内用傾斜面５７になっている。案内用傾斜面５７は、上記ロック用凹部５１の出口部分に臨んでいる。
【００２８】
次に上記トレー１２上にディスク状記録媒体が載置された状態で、このトレーが押込まれてロック部材５０によってロックされたときに、そのことを検出する検出手段について説明すると、図１および図２に示すように、シャーシ１１の最奥部の近傍には検出スイッチ６０が設けられ、この検出スイッチ６０の操作子を押圧するリブ６１がトレー１２の下面であって先端側の部分に取付けられている。
【００２９】
次に以上のような構成に係るディスク式記録再生装置における、トレー１２によるディスク状記録媒体の押込みおよびエジェクトの動作の概要を説明する。図２に示すようにトレー１２が引出された状態で、このトレー１２の円形の凹部２９内に光ディスクを載置する。そしてこの状態で、トレー１２を手で外筐１０内に押込む。トレー１２は左右の案内部材１５、１７、１９によって案内されながら図２に示す状態から図１に示す状態に押込まれる。
【００３０】
トレー１２が完全に押込まれると、トレー１２に設けられている弾性アーム４８がプッシュ・プッシュ式のロック機構を構成するロック部材５０のロック用凹部５１内に落込み、これによってトレー１２がロックされる。またトレー１２の押込み動作に連動して、巻ばね４０が弾性変形して弾性エネルギをチャージする。
【００３１】
上記トレー１２の押込みと、ロック部材５０から成るプッシュ・プッシュ式のロック機構によるロックに連動して、トレー１２の先端側のリブ６１が検出スイッチ６０の操作子を押圧する。従ってこの検出動作に連動して、トレー１２上のディスク状記録媒体に対する記録再生の動作が行なわれる。この動作は、スピンドルモータ３２によってターンテーブル３３を介して光ディスクをトレー１２の円形の凹部２９から浮かした状態で回転駆動する。そしてこのときに、モータ３７によって、長孔３４に沿って、光ディスクの半径方向に光ピックアップ３５を移動させることにより行なう。このような動作によって、トレー１２によって引込まれたディスク状記録媒体に対する記録および／または再生動作が行なわれる。
【００３２】
所定の記録および／または再生動作を完了した後に、指でトレー１２の先端側の部分を横長開口１４を通して筐体１０内に押込む。するとトレー１２のロックピン４９が、ロック部材５０のロック用凹部５１から離脱し、これによってトレー１２のロックが解除される。従ってトレー１２は、図２において鎖線で示すように、巻ばね４０の弾性エネルギによってエジェクト方向、すなわち引出し方向に押される。このときの巻ばね４０によるトレー１２のエジェクト量は、約２０〜５０ｍｍの値に設定されており、このためにトレー１２はその先端側の部分が前面側開口１４を通して約２０〜５０ｍｍ突出する。従ってこの状態で、トレー１２の外筐１０の前面側開口１４の外に突出した先端側の部分を指で摘んで引出すことにより、トレー１２の引出し動作が完了する。なお上記ロック部材５０によるトレー１２のロックが解除され、トレー１２が巻ばね４０によって押出されると、検出スイッチ６０のトレー１２のリブ６１による押圧が解除され、これによって検出スイッチ６０はＯＦＦ状態に切換えられる。
【００３３】
ここでとくにトレー１２のロックピン４９をロックするロック部材５０から成るプッシュ・プッシュ式のロック機構の動作を図７を参照しながら説明する。トレー１２が押込まれると、図７Ａの位置のロックピン４９が図７Ｂに示すように、斜めの案内壁５３によって押され、傾斜面５４を上昇し、段部５５上に昇る。なおこのときに弾性アーム４８が右方および上方に弾性変形し、ロックピン４９が上方に移動する。
【００３４】
この後に段部５５上を通過したロックピン４９はロック部材５０の先端側の部分を通過し、弾性アーム４８の弾性復元力によって左方に偏倚した後に、ロック用凹部５１に落込む（図７Ｃ、Ｄ参照）。そして完全にロック用凹部５１に落込むと、ロックピン４９は段部５５の左端から外れるために、弾性アーム４８の弾性復元力によって、ロックピン４９が下方に移動する。
【００３５】
次にロック解除の動作を説明する。ロック解除の動作は、トレー１２がロックされている状態でさらにこのトレー１２を押込むことによって行なわれる。トレー１２をさらに押込み方向に押圧すると、ロックピン４９が図７Ｅに示すように、ロック用凹部５１から離脱する。そしてこの後にロックピン４９は、段部５５の左側の壁面および３角形の突部５６の側面の案内用傾斜面５７によって案内されながら左方に偏倚する。なおロックピン４９は段部５５の左端から落下して下がっているために、この段部５５の左端で規制され、段部５５上に昇って右方に移動することはない。そしてこの後にロック部材５０の側方を通過し（図７  Ｆ、Ｇ参照）、さらにロック部材５０から離間する（図７Ｈ参照）。そしてロック部材５０から離間すると、ロックピン４９を先端に備える弾性アーム４８は真っ直ぐな状態になり、元の状態に復帰する。
【００３６】
このように本実施の形態のディスクプレーヤにおいては、ユーザが引出されてエジェクト状態にあるトレー１２上にディスク状記録媒体を装着し、トレー１２を押込んで、このトレー１２の先端側の部分が外筐１０の前面よりもさらにオーバストロークさせたところで押すのを止めたときに、トレー１２に与えられた巻ばね４０の力によって、トレー１２の先端側の部分が外筐１０の前面側の部分と一致する位置まで戻る。そしてこのときにトレー１２のロックピン４９がロック用凹部５１によってロックされる。そして解放されてＯＦＦ状態にあるスイッチ６０がトレー１２のロックに連動して押されて、トレー１２の挿入を確認し、これによってディスク状記録媒体を再生できる状態にする。
【００３７】
トレー１２のエジェクト動作は、トレー１２の前端側の部分をさらに押込むことにより行なわれる。この動作によってトレー１２のロック部材５０によるロックが解除され、このために巻ばね４０の力によってトレー１２が押出されて少なくとも指で掴み得るストロークだけ押出される。ここで巻ばね４０の力が弱い場合には、トレー１２を完全にエジェクトすることができない。従って半ば押出されたトレー１２を手で引出すことによって、完全なエジェクト状態にする。またエジェクト動作時に、トレー１２上のディスク状記録媒体が回転している場合には、トレー１２のエジェクト動作に連動して検出スイッチ６０がＯＦＦになるために、上記の記録再生の動作が中止される。
【００３８】
このようなトレー１２の手動によるローディングおよびエジェクト機構は、トレー１２をシャーシ１１に摺動自在に支持した構成において、トレー１２を戻すための巻ばね４０と、ロック部材５０から成るプッシュ・プッシュ式のロック機構と、検出スイッチ６０とによって達成され、極めて簡単な構成によってトレー１２のローディングおよびエジェクト機構が達成される。従ってこれにより、構造が簡潔になって大幅なコストダウンが可能になる。
【００３９】
次に変形例の構成を図８および図９によって説明する。この変形例は、上記の実施の形態に、さらに緩衝機構を付加したものである。すなわちトレー１２の下面であってその一側部にラック７２を設けるとともに、このラック７２と係合するピニオン７３をシャーシ１１上に支軸７４によって回転可能に支持する。そして上記ピニオン７３によって駆動される制動輪７５を設ける。制動輪７５は図９に示すように、その外周側の部分に歯車７６を備え、この歯車７６がピニオン７３に噛合う。そして制動輪７５は支軸７７によって回転可能に支持されるとともに、支軸７７の上端に取付けられた円板状の押さえ７８によって押さえられるばね７９で、リング状のフェルト板８０に押圧される。フェルト板８０はシャーシ１１の突部８１上において、上記支軸７３の周囲に取付けられる。
【００４０】
従ってトレー１２の押込み動作およびエジェクト動作の際に、トレー１２が移動することによって、ラック７２を介してピニオン７３が駆動され、さらに制動輪７５の歯車７６が駆動される。従って制動輪７５はフェルト板８０との間で摩擦を生じ、これによって制動動作が行なわれる。この制動力が緩衝作用を発現するために、トレー１２の押込みおよび引出しの緩衝が行なわれる。
【００４１】
とくに巻ばね４０として弾性復元力の大きいばねを用いた場合には、プッシュ・プッシュ式のロック機構を構成するロック部材５０によるロックが解除された場合に、トレー１２がばね４０によって勢いよく押出される可能性がある。ところがこのときに、上記制動輪７５とフェルト板８０との間で発生する摩擦力によって衝撃力が緩衝されるために、トレー１２がゆっくりと押出されるようになり、これによってより安定的なエジェクト動作が可能になる。
【００４２】
以上本願発明を図示の実施の形態によって説明したが、本願発明は上記実施の形態によって限定されることなく、本願に含まれる発明の技術的思想の範囲内において各種の変更が可能である。例えばトレー１２によって押込まれるディスク状記録媒体としては、ＣＤに限らず、各種のフォーマットのディスク状記録媒体が用いられる。また上記実施の形態は、トレー１２上にターンテーブル３３およびピックアップ３５を配した構成であるが、ターンテーブル３３および光ピックアップ３５をシャーシ１１側に取付けるようにしてもよい。
【産業上の利用可能性】
【００４３】
本願発明は、ＣＤ等の光ディスクを用いる光ディスクプレーヤに広く適用可能である。
【図面の簡単な説明】
【００４４】
【図１】ディスク式記録再生装置の要部平面図である。
【図２】トレーを引出した状態のディスク式記録再生装置の平面図である。
【図３】プッシュ・プッシュ式のロック機構の左側面図、平面図、および右側面図である。
【図４】図３ＢにおけるＤ−Ｄ線断面図である。
【図５】図３ＢにおけるＥ−Ｅ線矢視図である。
【図６】プッシュ・プッシュ式のロック機構の要部分解斜視図である。
【図７】プッシュ・プッシュ式のロック機構によるロック動作（Ａ〜Ｄ）およびロック解除動作（Ｅ〜Ｈ）を示す平面図である。
【図８】変形例のディスク式記録再生装置の要部平面図である。
【図９】同変形例における制動輪の構成を示す縦断面図である。
【符号の説明】
【００４５】
１０…外筐、１１…シャーシ、１２…トレー、１３…側壁、１４…前面側開  口、１５…案内部材、１６…突条、１７…案内部材、１８…突条、１９…案内部材、２０…突部、２３、２４、２５…押さえ、２６…ストッパ、２７…爪、２９…円形の凹部、３０…開口、３１…ピックアップユニット、３２…スピンドルモータ、３３…ターンテーブル、３４…長孔、３５…光ピックアップ、３６…ガイドロッド、３７…モータ、４０…巻ばね、４１…取付けねじ、４２…当接部、４３…ピン、４７…開口、４８…弾性アーム、４９…ロックピン、５０…ロック部材、５１…ロック用凹部、５３…斜めの案内壁、５４…傾斜面、５５…段部、５６…３角形の突部、５７…案内用傾斜面、６０…検出スイッチ、６１…リブ、７２…ラック、７３…ピニオン、７４…支軸、７５…制動輪、７６…歯車、７７…支軸、７８…押さえ、７９…ばね、８０…フェルト板、８１…突部
【図１】
2007128615.tif 000003
【図２】
2007128615.tif 000004
【図３】
2007128615.tif 000005
【図４】
2007128615.tif 000006
【図５】
2007128615.tif 000007
【図６】
2007128615.tif 000008
【図７】
2007128615.tif 000009
【図８】
2007128615.tif 000010
【図９】
2007128615.tif 000011